(57)【要約】      （修正有）【課題】一枚で作成することができ、首や足を通すことなく簡単に脱着ができ、ペットの運動によっても外れることがないペット等動物用衣服の型紙、及びその型紙を用いて作成したペット等動物用衣服を提供する。【解決手段】一枚仕立てであり、首の曲面に合わせた円弧状に幅のある帯を備えた首元から、弧状に広がる形態で胸部及び腹部から背中を覆い、首後部及び背中側部分での結着具を備えたペット等動物用衣服の型紙であって、前記型紙を使用して柔軟性がある繊維織物、生地を裁断し加工することで作成することができるペット等動物用衣服である。この型紙の形状は一枚の布のみで展開しているため、頭や足をくぐらせることなく首後部と背中側部で固定することができる。【選択図】図１
0003197919.tif 000002
【実用新案登録請求の範囲】
【請求項１】
一枚仕立てであり、首の曲面に合わせた円弧状に幅のある帯を備えた首元から、弧状に広
がる形態で胸部及び腹部から背中を覆い、首後部及び背中側部分での結着具を備えたペッ
ト等動物用衣服の型紙。
【請求項２】
首や足を通すことなく脱着が可能で、首後部に回した帯状の部分と、胴部分から背中に回
した背中側部分を結着することでサイズを調節しながら動物の体に固定し、その腹部や胸
部を保護する請求項１記載のペット等動物用衣服の型紙。
【請求項３】
請求項１または2に記載の型紙を使用して柔軟性がある繊維織物、生地を裁断し加工する
ことで作成することができるペット等動物用衣服。
【請求項４】
請求項３に記載のペット等動物用衣服において、首後部及び背中側部の固定結着具を用い
たペット等動物用衣服。
【請求項５】
請求項３に記載のペット等動物用衣服において、ペットの手術後及び疾患時に着衣させる
ペット等動物用衣服。
【考案の詳細な説明】
【技術分野】
【０００１】
本考案は、一枚の布を裁断することで作成できるペット等動物用衣服（ペット服）の型紙
、及びその型紙通りに裁断した布地を縫製することで作成するペット服に関するものであ
る。
【背景技術】
【０００２】
近年ペット等動物に衣服を着せることが一般化しているが、ペット服は、数枚の各布を組
み合わせて縫製する複雑な構造のものが主流となっており、Ｔシャツのようにあらかじめ
所定の形、例えば全体を円筒状に形成して頭と足を開口部から突出させる構造のものが多
く、作成に手間と費用がかかっていた。
【０００３】
そしてペット用服の脱着の際は、ペットを抱えたり押さえつけたり頭や四肢を通すものが
殆んどであり、ペット等動物が服を着るのを嫌がる一因となったりしていた。ペットを立
たせたまま脱着させることのできるマントのような形状の簡易なタイプの服もあったが、
服を胴体にしっかりと固定することができず、ペットの動きではずれてしまうことなどが
あった。
【０００４】
また、ペット用服に関しては、ファッション的な意味合いが強いものが多く、胴部の皮膚
疾患や手術後の縫合部や傷の治療を行ったあとの創傷部を外部刺激から保護する用途にも
使えるものも少なかった。
【先行技術文献】
【特許文献】
【０００５】
【特許文献１】特許公開２０００−２４０１５号広報
【特許文献２】特許公開２００３−００９７０３号公報
【特許文献３】特許公開２００４−５７０７２号広報
【特許文献４】特許公開２００５−４８３４１号広報
【特許文献５】特許公開２００６−３４１２２号広報
【特許文献６】特許公開２００７−０８９５５２号公報
【特許文献７】特許文献２００７−２８２５７７号広報
【特許文献８】特許公開２００７−２８２５７７号広報
【非特許文献】
【０００６】
【非特許文献１】登録実用新案第３１２５２２０号
【非特許文献２】登録実用新案第３１６７３３８号
【非特許文献３】登録実用新案第３１７７６３２号
【考案の概要】
【考案が解決しようとする課題】
【０００７】
解決しようとする課題は、第一にペット服作成に関しての作成に手間と時間を要する原因
となっている複雑な構造の解消である。
登録実用新案第３１２５２２０号の衣服のような一枚の布地を裁断して前部左右に花弁状
片を形成し、花弁状片と突出片の端部同士を貼着することで装着できるペット服や、特許
公開２００７−２８２５７７号広報のように平面形状の一枚布でファスナー及び面ファス
ナーで固定するペット服が存在するが、よりシンプルに固定箇所を減らした展開図で、胸
部から腹部、背中を覆う衣服の型紙及びその型紙に従って布地を裁断し縫製することで、
安価量産に好適するペット用服の提供を可能にする。
【０００８】
第二に脱着の容易さである。
従来のペット服は頭や足を通して脱着するものがほとんどであるため、頭や四肢を通す動
作を嫌うペットも居り、服の着用を嫌がる原因の一つになっていた。また皮膚疾患や創傷
部分などの部分が擦れてしまったり、首や足を動かさなければならないことで手術後の傷
口が広がってしまうなど回復に支障をきたすことがあった。
【０００９】
第三にペット等動物の創傷の保護の役割である。
ペット等動物が腹部や胸部に創傷や皮膚疾患がある場合や手術を受けた際に、特許公開２
００３−００９７０３号公報や特許公開２００７−０８９５５２号公報のようなエリザベ
スカラーと称される円錐状のカラーを装着するのみであったり、また包帯やガーゼなどで
患部を処置しても、ペットが痛がったり痒がったりすることで、舐めたり噛んだり足で引
っ掻いたりしてテープや包帯を外してしまうことが多く、保護のために身体を覆う目的に
適した服は少なかった。そしてエリザベスカラ−による保護では、傷があるストレスに加
え、ペットの視野が制限されたり物に引っかかるなど首元の自由の妨げとなりさらなるス
トレスの原因となっていた。特許公開２００４−５７０７２号広報のような犬猫用衣服も
存在するが、後ろ足を通す必要があり、また立体裁断を要し数枚の各布を組み合わせて縫
製する構造のものとなっている。
【課題を解決するための手段】
【００１０】
本考案では、従来何枚もの型紙を使用して裁断し縫製処理をしていた服を、一枚の型紙に
より布一枚の裁断で作成できる服の型紙と、この型紙を用いてペット等動物に負担をかけ
ず腹部及び胸部を保護できるペット服を考案した。
そして首後部と背中側で固定することにより脱着やサイズ調節も簡単にできるようにした
。
【考案の効果】
【００１１】
本考案の型紙であれば、一枚でペット服を作成でき、作成の手間と時間をいう欠点を解消
し安価での提供が可能になる。 
また、首後部と背中側で固定する形態であるため、ペットを立たせたまま足などを動かさ
せる必要もなく容易な脱着が可能であるから、服の脱着を嫌がるペットにも脱着させやす
い。立体裁断がなく胸部及び胴部を固定できる仕様であるから、傷口や皮膚をとの擦れを
最小限に抑え、ペット等動物自身の脚で引っ掻く等外部からの刺激を防ぐことができる。
首元や裾に布地や装飾を加えることでファッション性も持たせることができる。
また、皮膚疾患や創傷のあるペットにも負担なく装着させ患部を保護することができる。
【図面の簡単な説明】
【００１２】
【図１】本考案のペット用衣服の型紙から作成した衣服を犬に着せた時の外観図である。
【図２】本考案のペット用衣服の型紙の展開図である。
【図３】本考案のペット用衣服のオス用及びユニセックス用の型紙の展開図である。
【図４】本考案のペット用衣服のメス用の型紙の展開図である。
【図５】本考案のペット用衣服装着時の下からの図である。
【図６】本考案のペット用衣服装着時の上からの図である。
【図７】本考案のペット用衣服装着時の下からの図である。
【図８】本考案のペット用衣服装着時の横からの図である。
【考案を実施するための形態】
【００１３】
以下、本考案の形態について、図面を参照しつつ詳細に説明する。
【実施例】
【００１４】
図１は、本考案１のペット用衣服の型紙から作成したペット用衣服を着用した図である。
本考案は1枚の布から図２のような型紙通り生地を裁断し、布端を処理することで作成で
きる簡単な構造で出来ており、首後部及び背中側部分の結着具で固定することで装着を完
了し、ペット等動物の胴部の保護をすることができる。
最小限の縫製処理で済むため容易に作成でき、胴部に傷や皮膚疾患を負ったペット等動物
に適時安価で提供する事が可能である。
【００１５】
図２は本考案のペット用衣服の型紙の展開図である。
【００１６】
図３及び図４は首後部の結着部A及びB、背中側部分の結着部C及びDを備えたペット用衣服
の一例を示す平面図である。本考案１の型紙を用いて布を裁断し、記号AとBを首後部で面
ファスナーや、ボタン、紐などの結着具で固定し、記号CとDを背中側部分で同様に結着具
で固定することで装着する。図３は本考案のペット用衣服の雄用及びユニセックス用の型
紙の展開図である。排泄に適するように腹部側の一部分が短く、そして背面側は長くなっ
ており、背中を覆うことができる形状となっている。また図４は本考案のペット用衣服の
雌用の型紙の展開図である。腹部側は短くなっておらず、下腹部も背中も覆うことが可能
な形状となっている。
【００１７】
図５、図６、図７、図８は、本考案の装着順の一例を示したものである。
本考案をペットの胸部から腹部を覆い（図５及び図６）、記号AとBを首後部で固定し、記
号CとDを背中側で固定する（図７及び図８）。
装着後は図１のようになる。
【００１８】
以上、本考案の実地の形態について詳述したが、本考案はかかる特定の形態に限定されず
、実用新案登録請求の範囲に記載された本考案の要旨の範囲において、種々の変形及び変
更が可能である。
【産業上の利用可能性】
【００１９】
型紙が一枚で済む簡単な構造であるため容易に、かつ価格を抑えて作成できる。
【００２０】
そして、記号AとB、記号CとDの固定位置を調節することで各固体に合わせて調節が可能で
あるため、数種類の大きさを用意すれば様々なサイズのペットに対応させることができる
。応用として、襟や裾に布地を増やしたりレースやフリル等をつけることでファッション
性も加えることができ、結着具として面ファスナー、ファスナー、紐やボタン、フック、
マグネットなど様々な組み合わせが可能である。
【００２１】
また、本考案で作成できるペット等動物用衣料は胴部保護着としても使用できる。
【符号の説明】
【００２２】
A  B   首の位置で結着する箇所
C  D  背中側の位置で結着する箇所
【図１】
0003197919.tif 000003
【図２】
0003197919.tif 000004
【図３】
0003197919.tif 000005
【図４】
0003197919.tif 000006
【図５】
0003197919.tif 000007
【図６】
0003197919.tif 000008
【図７】
0003197919.tif 000009
【図８】
0003197919.tif 000010
【手続補正書】
【提出日】平成27年3月4日(2015.3.4)
【手続補正１】
【補正対象書類名】実用新案登録請求の範囲
【補正対象項目名】全文
【補正方法】変更
【補正の内容】
【実用新案登録請求の範囲】
【請求項１】
一枚仕立てであり、首の曲面に合わせた円弧状に幅のある帯を備えた首元から、弧状に広がる形態で胸部及び腹部から背中を覆い、首後部及び背中側部分での結着具を備えたペット等動物用衣服の型紙。
【請求項２】
請求項１に記載の型紙を使用して柔軟性がある繊維織物、生地を裁断し加工することで作成することができるペット等動物用衣服。
【請求項３】
請求項２に記載のペット等動物用衣服において、首や足を通すことなく脱着が可能であり、首後部に回した帯状の部分の両端に少なくとも一対の雌雄一対からなる結着具を備え、胴部分から背中に回した背中側部分の両端に少なくとも一対の雌雄一対からなる結着具を備え、動物の体に結着し、その腹部や胸部を保護するペット等動物用衣服。
【請求項４】
請求項２に記載のペット等動物用衣服において、創傷の当る部分に縫い目を設けていないことを特徴とするペットの手術後及び疾患時に着衣させるペット等動物用衣服。